(57)【特許請求の範囲】
【請求項１】
上面に取出口を有し、内側の収納空間部に家庭用薄葉紙が積層された薄葉紙積層体を収納するケース体と、
前記取出口の周縁部に装着された枠部材と、を備え、
前記枠部材は、ゴム又は熱可塑性エラストマーから形成されており、前記取出口よりも下側に向けて突出する突出部を有し、
前記突出部は、前記枠部材の外形に沿った筒状体となっており、
前記突出部から前記取出口を塞ぐ方向側に向けて延出する複数の延出部を有することを特徴とする家庭用薄葉紙収納容器。
【請求項２】
前記突出部の下端部には、複数の角部が所定間隔を有して設けられていることを特徴とする請求項１に記載の家庭用薄葉紙収納容器。
【請求項３】
前記突出部の下端部には、複数のスリットが所定間隔を有して設けられていることを特徴とする請求項１に記載の家庭用薄葉紙収納容器。
【請求項４】
前記薄葉紙積層体は、前記家庭用薄葉紙を取り出すための開口が設けられた包装体によって内包されており、
前記取出口の面積は、前記開口の面積よりも小さいことを特徴とする請求項１から３の何れか一項に記載の家庭用薄葉紙収納容器。
【請求項５】
前記薄葉紙積層体は、前記家庭用薄葉紙を取り出すための開口が設けられた包装体によって内包されており、
前記取出口及び前記開口は、略長方形状又は略楕円形状に形成されており、
前記取出口の長軸は、前記開口の長軸に直交しており、
前記取出口の短軸の長さは、前記開口の長軸の長さよりも短いことを特徴とする請求項１から３の何れか一項に記載の家庭用薄葉紙収納容器。
【請求項６】
前記薄葉紙積層体は、前記家庭用薄葉紙を取り出すための開口が設けられた包装体によって内包されており、
当該家庭用薄葉紙収納容器は、前記包装体よりも重いことを特徴とする請求項１から３の何れか一項に記載の家庭用薄葉紙収納容器。
【請求項７】
前記取出口を開閉させる蓋体を備え、
前記枠部材は、前記取出口の周縁と前記蓋体との隙間を封止して前記収納空間部を気密状態とすることを特徴とする請求項１から６の何れか一項に記載の家庭用薄葉紙収納容器。
【発明の詳細な説明】
【技術分野】
【０００１】
本発明は、家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
このような家庭用薄葉紙収納容器においては、家庭用薄葉紙が積層された薄葉紙積層体を収納するためのケース体の上面に取出口が設けられており、家庭用薄葉紙は、例えば、一の家庭用薄葉紙が折り畳まれ、その折り返し部分に他の家庭用薄葉紙が挟み込まれた状態で折り畳まれることによって、複数枚の家庭用薄葉紙が連続的に積層された状態で収納されている。このように積層することによって、最上層の家庭用薄葉紙を取り出すと、これに挟み込まれていた次層の家庭用薄葉紙の一部が取出口から突出するので、家庭用薄葉紙の取り出しが容易な、いわゆるポップアップ方式となる。
【０００３】
ところで、ポップアップ方式には、次層の家庭用薄葉紙の飛び出し長さ（取出口から突出した部分の長さ）が必要以上に長くなったり、複数枚の家庭用薄葉紙が連なって引き出されたりするという問題がある。
そこで、取り出し口形成部とこの取り出し口形成部に設けた取り出し口と、取り出し口を開閉するための蓋体とを備えてなる収納体の内部にウェットティッシュ積層体を収納して構成されるウェットティッシュ包装体であって、取り出し口形成部におけるウェットティッシュ収納側の面に多数の点状突起を設け、当該突起が取り出し口形成部における取り出し口の周縁に沿って一輪状または複数輪状に設けられたウェットティッシュ包装体が提案されている（特許文献１参照）。このウェットティッシュ包装体によれば、１枚目のウェットティッシュを取り出す際、ウェットティッシュと突起との接触によって摩擦抵抗が生じ、そのため１枚目のウェットティッシュ（最上層のウェットティッシュ）と２枚目のウェットティッシュ（次層のウェットティッシュ）とにおける端部同士のからみ合いが確実に外され、両者の分離は円滑に行われる。その結果、２枚目のウェットティッシュのポップアップが常に、所定位置で確実に行われる。したがって、２枚目のウェットティッシュの飛び出し長さが必要以上に長くなったり、ウェットティッシュ相互間の分離がうまく行われず複数枚が連なって引き出されたりする虞を抑制することができる。
【先行技術文献】
【特許文献】
【０００４】
【特許文献１】特許第３５３８４２９号公報
【発明の概要】
【発明が解決しようとする課題】
【０００５】
しかしながら、特許文献１記載のウェットティッシュ包装体において、突起は、硬質又は半硬質のプラスチック材からなるので、非常に硬い。そのため、家庭用薄葉紙（特許文献１の場合、ウェットティッシュ）との摩擦抵抗を高めようと突起の先端を尖らせた場合には、家庭用薄葉紙が傷ついて毛羽立ったり破れたりする可能性がある。逆に、家庭用薄葉紙を傷つけないように突起の先端を丸くした場合には、家庭用薄葉紙との摩擦抵抗が低減し、突起の効果（すなわち、家庭用薄葉紙の不要な飛び出しを抑制できるという効果）が薄れてしまう。
【０００６】
本発明の課題は、家庭用薄葉紙の不要な飛び出しを抑制しつつ、家庭用薄葉紙を傷つけずに取り出すことが可能な家庭用薄葉紙収納容器を提供することである。
【課題を解決するための手段】
【０００７】
上記課題を解決するために、請求項１に記載の発明は、家庭用薄葉紙収納容器において、
上面に取出口を有し、内側の収納空間部に家庭用薄葉紙が積層された薄葉紙積層体を収納するケース体と、
前記取出口の周縁部に装着された枠部材と、を備え、
前記枠部材は、ゴム又は熱可塑性エラストマーから形成されており、前記取出口よりも下側に向けて突出する突出部を有し、
前記突出部は、前記枠部材の外形に沿った筒状体となっており、
前記突出部から前記取出口を塞ぐ方向側に向けて延出する複数の延出部を有することを特徴とする。
ここで、ゴムは、シリコンゴム等であり、熱可塑性エラストマーは、スチレン系、オレフィン系、塩化ビニル系、ポリエステル系、ポリウレタン系、ナイロン系のエラストマーである。
「取出口よりも下側」とは、取出口よりも収納空間部に収納されている薄葉紙積層体側のことである。
【０００９】
また、請求項２に記載の発明は、請求項１に記載の家庭用薄葉紙収納容器において、
前記突出部の下端部には、複数の角部が所定間隔を有して設けられていることを特徴とする。
【００１０】
また、請求項３に記載の発明は、請求項１に記載の家庭用薄葉紙収納容器において、
前記突出部の下端部には、複数のスリットが所定間隔を有して設けられていることを特徴とする。
【００１１】
また、請求項４に記載の発明は、請求項１から３の何れか一項に記載の家庭用薄葉紙収納容器において、
前記薄葉紙積層体は、前記家庭用薄葉紙を取り出すための開口が設けられた包装体によって内包されており、
前記取出口の面積は、前記開口の面積よりも小さいことを特徴とする。
【００１２】
また、請求項５に記載の発明は、請求項１から３の何れか一項に記載の家庭用薄葉紙収納容器において、
前記薄葉紙積層体は、前記家庭用薄葉紙を取り出すための開口が設けられた包装体によって内包されており、
前記取出口及び前記開口は、略長方形状又は略楕円形状に形成されており、
前記取出口の長軸は、前記開口の長軸に直交しており、
前記取出口の短軸の長さは、前記開口の長軸の長さよりも短いことを特徴とする。
【００１３】
また、請求項６に記載の発明は、請求項１から３の何れか一項に記載の家庭用薄葉紙収納容器において、
前記薄葉紙積層体は、前記家庭用薄葉紙を取り出すための開口が設けられた包装体によって内包されており、
当該家庭用薄葉紙収納容器は、前記包装体よりも重いことを特徴とする。
【００１４】
また、請求項７に記載の発明は、請求項１から６の何れか一項に記載の家庭用薄葉紙収納容器において、
前記取出口を開閉させる蓋体を備え、
前記枠部材は、前記取出口の周縁と前記蓋体との隙間を封止して前記収納空間部を気密状態とすることを特徴とする。
【発明の効果】
【００１５】
本発明によれば、最上層の家庭用薄葉紙を取り出す際に、枠部材が有する突出部が最上層の家庭用薄葉紙や次層の家庭用薄葉紙と接触して、突出部と家庭用薄葉紙との間に摩擦力が発生するので、次層の家庭用薄葉紙の飛び出し長さが必要以上に長くなったり、複数枚の家庭用薄葉紙が連なって引き出されたりすることを抑制することができる。
さらに、枠部材は、軟質材料から形成されていて柔らかいので、枠部材が有する突出部によって家庭用薄葉紙を傷つけることなく確実に押さえることができる。
すなわち、家庭用薄葉紙の不要な飛び出しを抑制しつつ、家庭用薄葉紙を傷つけずに取り出すことが可能となる。
【図面の簡単な説明】
【００１６】
【図１】本発明の実施形態に係る家庭用薄葉紙収納容器において、（ａ）は上蓋を閉めた状態を示す斜視図、（ｂ）は上蓋を開けた状態を示す斜視図である。
【図２】本発明の実施形態に係る家庭用薄葉紙収納容器において、上蓋を閉めた状態を示す平面図である。
【図３】本発明の実施形態に係る家庭用薄葉紙収納容器において、上蓋を開けた状態を示す平面図である。
【図４】図２の家庭用薄葉紙収納容器のIV−IV線における断面図である。
【図５】図３の家庭用薄葉紙収納容器のV−V線における断面図である。
【図６】容器本体を示す平面図である。
【図７】シャーシ及び付勢部材を示す平面図である。
【図８】上蓋を示す平面図である。
【図９】本発明の実施形態に係る家庭用薄葉紙収納容器の製造方法を説明するための図である。
【図１０】ケース側パッキンの変形例を示す図である。
【図１１】ケース側パッキンの変形例を示す図である。
【図１２】ケース側パッキンの変形例を示す図である。
【図１３】ケース側パッキンの変形例を示す図である。
【図１４】ケース側パッキンの変形例を示す図である。
【図１５】容器本体の取出口と包装体の開口との関係を説明するための図である。
【図１６】容器本体の取出口と包装体の開口との関係を説明するための図である。
【図１７】実施例で構成した家庭用薄葉紙収納容器の評価結果を示す図である。
【発明を実施するための形態】
【００１７】
以下、本発明の実施の形態を図面に基づいて説明する。ただし、発明の範囲は、図示例に限定されない。
【００１８】
＜家庭用薄葉紙収納容器の構成＞
まず、本実施形態の家庭用薄葉紙収納容器の構成について説明する。
なお、以下の説明では、家庭用薄葉紙収納容器の平面視長手方向を左右方向、平面視短手方向を前後方向、高さ方向を上下方向とする。
【００１９】
本実施形態に係る家庭用薄葉紙収納容器１は、例えば、図１（ａ）に示すように、上蓋２０を閉じた状態で前後方向の側面視にて上側の角が丸みを帯びた略長方形状に形成されており、内部にウェットシートやウェットティシュー等のウェットタイプの家庭用薄葉紙Ｐを収納可能に構成されている。なお、家庭用薄葉紙収納容器１には、ティシューペーパーやキッチンペーパーやペーパータオル等のドライタイプの家庭用薄葉紙Ｐを収納しても良い。
具体的には、家庭用薄葉紙収納容器１は、例えば、図１（ａ），（ｂ）、図２から図５に示すように、上面に家庭用薄葉紙Ｐを取り出すための取出口１１を有するとともに下面に家庭用薄葉紙Ｐが積層された薄葉紙積層体Ｑを詰め替えるための底面開口１２を有し、内側の収納空間部Ｓに薄葉紙積層体Ｑを収納する容器本体１０と、容器本体１０の上面にスライド移動自在に設けられ、取出口１１を開閉させる蓋体としての上蓋２０と、上蓋２０を容器本体１０に取り付けるためのシャーシ３０と、容器本体１０の底面開口１２を塞ぐ底蓋４０と、上蓋２０を開放状態となる方向に付勢する付勢部材５０と、等を備えて構成される。
【００２０】
ここで、容器本体１０及びシャーシ３０が、上面に取出口１１を有し、内側に家庭用薄葉紙Ｐを収納するケース体として機能する。すなわち、ケース体は、容器本体１０と、当該容器本体１０の上面に固定されるシャーシ３０と、を備えており、上蓋２０は、ケース体のうちシャーシ３０に取り付けられている。
また、容器本体１０、上蓋２０、シャーシ３０及び底蓋４０は、例えば、ＰＰ（ポリプロピレン）、ＰＥ（ポリエチレン）、ＰＶＣ（ポリ塩化ビニル）、ＰＥＴ（ポリエチレンテレフタレート）、ＡＢＳ（Acrylonitrile Butadiene Styrene）等の熱可塑性樹脂から形成されている。
【００２１】
また、本実施形態においては、付勢部材５０として、引張コイルばね（引きばね）を用いるが、これに限ることはなく、付勢部材５０は、伸縮部材であれば適宜任意に変更可能であり、例えば、トーションばねや圧縮コイルばね（押しばね）等であっても良い。
また、付勢部材５０は、金属材料からなる伸縮部材であっても、高分子材料からなる伸縮部材であっても良い。高分子材料からなる伸縮部材としては、例えば、プラスチック製の伸縮部材、シリコンゴム等のゴムや、スチレン系、オレフィン系、塩化ビニル系、ポリエステル系、ポリウレタン系、ナイロン系のエラストマー等の熱可塑性エラストマーなどの弾性体（軟質材料）製の伸縮部材等が挙げられ、また、その形状は、ばね状であっても、板状やチューブ状や紐状であっても良く、適宜任意に変更可能である。付勢部材５０が高分子材料からなる場合、金属製の付勢部材と違って錆びることがないので、長期に亘って安定的に使用することができる。家庭用薄葉紙収納容器１に収納する家庭用薄葉紙Ｐが、ウェットタイプの家庭用薄葉紙Ｐである場合は特に、金属製の付勢部材５０を用いると、家庭用薄葉紙Ｐから蒸発した薬液によって付勢部材が錆びる可能性が高くなるので、高分子材料からなる付勢部材５０を用いることが好ましい。
【００２２】
また、薄葉紙積層体Ｑは、例えば、複数枚の家庭用薄葉紙Ｐが積層された詰替え用の薄葉紙積層体であって、ケース体（本実施形態の場合、容器本体１０）に形成された取出口１１から家庭用薄葉紙Ｐを継続して取り出せるように交互に折り重ねられた状態で積層されている。すなわち、家庭用薄葉紙Ｐを取出口１１からケース体の外側へ引き出したときに、次の家庭用薄葉紙Ｐの上端が取出口１１よりも突出する位置まで収納空間部Ｓから引き出される、いわゆるポップアップ方式となっている。
なお、薄葉紙積層体Ｑは、本実施形態のように包装体Ｔによって内包しても良いし、包装体Ｔによって内包しなくても良い。特に、家庭用薄葉紙収納容器１に収納する家庭用薄葉紙Ｐが、本実施形態のようにウェットタイプの家庭用薄葉紙Ｐである場合には、薄葉紙積層体Ｑを防湿性の包装体Ｔによって内包することが好ましい。
【００２３】
容器本体１０は、例えば、図１（ａ），（ｂ）に示すように、当該容器本体１０の上面を構成する上面部１０ａと、当該容器本体１０の前後左右の周面を構成する周面部１０ｂと、からなり、容器本体１０の下面は平面視にて角のとれた略長方形状を呈する底面開口１２となっている。そして、この底面開口１２を塞ぐように取り付けられた底蓋４０と、容器本体１０の上面部１０ａ及び周面部１０ｂと、によって囲まれた空間が、薄葉紙積層体Ｑを収納するための収納空間部Ｓとなる。
なお、本実施形態では、下面が開口した容器本体１０を用い、薄葉紙積層体Ｑを容器本体１０の下面側から詰め替えるように構成したが、これに限ることはなく、例えば、下面は閉口して前後左右の何れかの面が開口した容器本体１０を用い、薄葉紙積層体Ｑを容器本体１０の前後左右の何れかの面側から詰め替えるように構成することも可能である。
【００２４】
容器本体１０の上面部１０ａには、例えば、図４、図５に示すように、下側に向けて陥没する凹部１３が設けられており、この凹部１３の底面部１３ａに取出口１１が形成されている。なお、本実施形態では、底面部１３ａのうち左右方向（容器本体１０の平面視長手方向）中央よりも一側（本実施形態の場合、右側）にずれた位置に取出口１１を形成したが、これに限ることはなく、例えば、底面部１３ａの左右方向略中央に取出口１１を形成することも可能である。
取出口１１は、容器本体１０の内部の収納空間部Ｓに収納された家庭用薄葉紙Ｐを取り出すための、平面視にて角のとれた略長方形状に形成された開口である。
取出口１１は、上蓋２０が開放状態（図１（ｂ）、図３、図５参照）となった場合に開放され、このとき家庭用薄葉紙Ｐは、取出口１１を通じて一枚毎に収納空間部Ｓから外部に引き出すことができるようになっている。
また、取出口１１は、上蓋２０が閉塞状態（図１（ａ）、図２、図４参照）となった場合に閉塞されるようになっている。
【００２５】
例えば、図４、図５に示すように、取出口１１の周縁には、シリコンゴム等のゴムや、スチレン系、オレフィン系、塩化ビニル系、ポリエステル系、ポリウレタン系、ナイロン系のエラストマー等の熱可塑性エラストマーなどの薬液耐性のある軟質材料から形成されたケース側パッキン１４が装着されている。
また、上蓋２０の下面にも、シリコンゴム等のゴムや、スチレン系、オレフィン系、塩化ビニル系、ポリエステル系、ポリウレタン系、ナイロン系のエラストマー等の熱可塑性エラストマーなどの薬液耐性のある軟質材料から形成された蓋側パッキン２１が取り付けられている。
蓋側パッキン２１は、上蓋２０の下面のうち上蓋２０の閉塞状態においてケース側パッキン１４に対応する位置に設けられており、ケース側パッキン１４と蓋側パッキン２１とは、上蓋２０が閉塞状態となった場合に互いに密着して（図４参照）、収納空間部Ｓ内の気密性を保持するように構成されている。すなわち、ケース側パッキン１４及び蓋側パッキン２１が、取出口１１の周縁と上蓋２０との隙間を封止する気密手段として機能する。
これにより、家庭用薄葉紙収納容器１に収納する家庭用薄葉紙Ｐが、本実施形態のようにウェットタイプの家庭用薄葉紙Ｐである場合には、家庭用薄葉紙Ｐに含浸した薬液の蒸発を防止できるようになっている。
【００２６】
また、ケース側パッキン１４には、例えば、図６に示すように、当該ケース側パッキン１４の下端部から内側に向けて（取出口１１を塞ぐ方向側に向けて）延出する複数の延出部１４ａが設けられており、延出部１４ａ同士の隙間から家庭用薄葉紙Ｐが引き出されるように構成されている。これにより、家庭用薄葉紙Ｐを一枚ずつ引き出しやすくなっている。
なお、本実施形態では、延出部１４ａを先端部が上下動可能な舌片状としたが、これに限ることはなく、延出部１４ａは、例えば、上下動不能であっても良い。
また、本実施形態では、容器本体１０にケース側パッキン１４を設けて上蓋２０に蓋側パッキン２１を設けた、すなわち、容器本体１０と上蓋２０との双方に気密手段を設けたが、これに限ることはなく、気密手段によって取出口１１の周縁と上蓋２０との隙間を封止できるのであれば、例えば、容器本体１０だけに気密手段を設けても良いし、上蓋２０だけに気密手段を設けても良い。また、シャーシ３０に取出口１１が設けられている場合には、シャーシ３０に気密手段を設けても良い。
【００２７】
ここで、本実施形態の場合、ケース側パッキン１４が、取出口１１の周縁部に装着された枠部材として機能する。そして、ケース側パッキン１４は、例えば、図４、図５に示すように、取出口１１よりも下側（収納空間部Ｓに収納されている薄葉紙積層体Ｑ側）に向けて突出する突出部１４ｂを有している。したがって、最上層の家庭用薄葉紙Ｐを取り出す際に、突出部１４ｂが最上層の家庭用薄葉紙Ｐや次層の家庭用薄葉紙Ｐと接触して、突出部１４ｂと家庭用薄葉紙Ｐとの間に摩擦力が発生するので、次層の家庭用薄葉紙Ｐの飛び出し長さ（取出口１１から突出した部分の長さ）が必要以上に長くなったり、複数枚の家庭用薄葉紙Ｐが連なって引き出されたりすることを抑制することができる。すなわち、家庭用薄葉紙Ｐが不要に飛び出さないように、突出部１４ｂで家庭用薄葉紙Ｐを押さえることができる。
【００２８】
さらに、ケース側パッキン１４（延出部１４ａや突出部１４ｂを含む）は、ゴムや熱可塑性エラストマーなどの軟質材料から形成されている。このような軟質材料は、硬質材料や半硬質材料（硬質又は半硬質のプラスチック材等）に比べて摩擦抵抗が高いので、ケース側パッキン１４を硬質材料や半硬質材料で形成した場合と比較して、突出部１４ｂと家庭用薄葉紙Ｐとの間により大きな摩擦力が発生することとなる。
また、このような軟質材料は、硬質材料や半硬質材料に比べて柔らかいので、延出部１４ａや突出部１４ｂが家庭用薄葉紙Ｐに接触した際に、家庭用薄葉紙Ｐを傷つけることがない。さらに、最上層の家庭用薄葉紙Ｐを引き出した際に次層の家庭用薄葉紙Ｐが取出口１１から突出せずに収納空間部Ｓ内に落ち込んでしまっても、延出部１４ａが柔らかいため、延出部１４ａ同士の間に指を入れて落ち込んでしまった家庭用薄葉紙Ｐを引っ張り出すことができる。
【００２９】
なお、本実施形態では、例えば、図３に示すように、右側に向けて延出する１つの延出部１４ａと、左側に向けて延出する２つの延出部１４ａと、の３つの延出部１４ａをケース側パッキン１４に設けたが、これに限ることはない。延出部１４ａ同士で家庭用薄葉紙Ｐを挟み込んで、家庭用薄葉紙Ｐの不要な飛び出しをより効果的に抑制して次層の家庭用薄葉紙Ｐの飛び出し長さを一定に保ったり、家庭用薄葉紙Ｐの収納空間部Ｓ内への落ち込みを抑制したりすることができるのであれば、例えば、図１０に示すように、前側に向けて延出する１つの延出部１４ａと、後側に向けて延出する１つの延出部１４ａと、の２つの延出部１４ａをケース側パッキン１４に設けるように構成することも可能である。
【００３０】
また、突出部１４ｂの下端部には、複数の角部１４ｃが所定間隔を有して設けられていても良い。具体的には、突出部１４ｂの下端部は、例えば、図１１（ａ）に示すように、三角波状に形成されていても良いし、例えば、図１１（ｂ）に示すように、矩形波状に形成されていても良いし、また、のこぎり波状や台形波状などに形成されていても良い。これにより、突出部１４ｂの下端部に設けられた複数の角部１４ｃに家庭用薄葉紙Ｐが引っ掛かって家庭用薄葉紙Ｐにより大きな抵抗が付与されるので、突出部１４ｂの効果（すなわち、家庭用薄葉紙Ｐの不要な飛び出しを抑制できるという効果）を増大することが可能となる。この場合、突出部１４ｂの下端部に設けられた複数の角部１４ｃに家庭用薄葉紙Ｐが引っ掛かるが、突出部１４ｂは柔らかいので、家庭用薄葉紙Ｐが傷ついて毛羽立ったり破れたりすることはない。なお、図１１（ａ）、図１１（ｂ）では、延出部１４ａの図示を省略している。
或いは、突出部１４ｂの下端部には、例えば、図１２に示すように、当該突出部１４ｂの突出方向に略沿った複数のスリット１４ｄが所定間隔を有して設けられていても良い。これにより、突出部１４ｂの下端部に設けられた複数のスリット１４ｄに家庭用薄葉紙Ｐが入り込んで家庭用薄葉紙Ｐにより大きな抵抗が付与されるので、突出部１４ｂの効果（すなわち、家庭用薄葉紙Ｐの不要な飛び出しを抑制できるという効果）を増大することが可能となる。なお、図１２では、延出部１４ａの図示を省略している。
また、突出部１４ｂの下端部には、例えば、図１３に示すように、家庭用薄葉紙Ｐに摩擦抵抗を付与する部分を減らすために、切欠部１４ｅが設けられていても良い。ここで、切欠部１４ｅは、突出部１４ｂのうち家庭用薄葉紙Ｐが主に接触する部分、すなわち、突出部１４ｂのうち収納空間部Ｓに収納されている家庭用薄葉紙Ｐの折り畳み線に直交する方向に延在する部分（本実施形態の場合、前後方向に延在する部分）に設けられることが好ましい。なお、図１３では、延出部１４ａの図示を省略している。
このように、角部１４ｃを設けたり、スリット１４ｄを設けたり、切欠部１４ｅを設けたりして、突出部１４ｂの形状を変えることによって、家庭用薄葉紙Ｐに付与する摩擦抵抗の大きさを調整することができる。
【００３１】
また、本実施形態では、ケース側パッキン１４の下端部（具体的には、突出部１４ｂの下端部）に延出部１４ａを設けたが、これに限ることはなく、例えば、図１４に示すように、ケース側パッキン１４のうち突出部１４ｂの下端部よりも上側の部分に延出部１４ａを設けるように構成することも可能である。
家庭用薄葉紙Ｐは、主に、突出部１４ｂの下端部に接触する。延出部１４ａが突出部１４ｂの下端部に設けられている場合、延出部１４ａが邪魔になって突出部１４ｂの下端部のうち延出部１４ａが設けられた部分は家庭用薄葉紙Ｐと接触できず、突出部１４ｂの下端部のうち延出部１４ａが設けられていない部分のみが家庭用薄葉紙Ｐと接触可能となる。一方、ケース側パッキン１４のうち突出部１４ｂの下端部よりも上側の部分に延出部１４ａが設けられている場合、突出部１４ｂの下端部全体が家庭用薄葉紙Ｐと接触可能となる。したがって、ケース側パッキン１４のうち突出部１４ｂの下端部よりも上側の部分に延出部１４ａを設けると、家庭用薄葉紙Ｐに摩擦抵抗を付与する部分が増えるので、突出部１４ｂの効果（すなわち、家庭用薄葉紙Ｐの不要な飛び出しを抑制できるという効果）を増大することが可能となる。
また、突出部１４ｂの下端部に角部１４ｃやスリット１４ｄを設ける場合、突出部１４ｂの下端部に延出部１４ａが設けられていると、突出部１４ｂの下端部のうち延出部１４ａが設けられる部分には角部１４ｃやスリット１４ｄを設けるための加工を施すことができないので、突出部１４ｂの下端部のうち延出部１４ａを設けない部分のみに複数の角部１４ｃを設けたり複数のスリット１４ｄを設けたりすることになる。一方、ケース側パッキン１４のうち突出部１４ｂの下端部よりも上側の部分に延出部１４ａが設けられていると、突出部１４ｂの下端部全体に加工を施すことが可能となるので、突出部１４ｂの下端部全体に複数の角部１４ｃを設けたり複数のスリット１４ｄを設けたりすることができ、突出部１４ｂの効果（すなわち、家庭用薄葉紙Ｐの不要な飛び出しを抑制できるという効果）を増大することが可能となる。
【００３２】
また、薄葉紙積層体Ｑが包装体Ｔによって内包されている場合、例えば、図１５に示すように、取出口１１の面積を、包装体Ｔに設けられた家庭用薄葉紙Ｐを取り出すための開口Ｔ１の面積よりも小さくしたり、例えば、図１６に示すように、取出口１１の長軸を開口Ｔ１の長軸に直交させて取出口１１の短軸の長さを開口Ｔ１の長軸の長さよりも短くしたりすることによって、家庭用薄葉紙Ｐが突出部１４ｂにより接触しやすくなるように構成することが好ましい。このように、取出口１１の少なくとも一方の幅が、開口Ｔ１の幅（当該一方の幅と同じ方向の幅）よりも短くなるように構成することによって、突出部１４ｂの効果（すなわち、家庭用薄葉紙Ｐの不要な飛び出しを抑制できるという効果）を増大することが可能となる。
なお、図１５、図１６では、上蓋２０やシャーシ３０や付勢部材５０の図示は省略している。
【００３３】
ところで、家庭用薄葉紙収納容器１（収納空間部Ｓ内に何も収納していない状態の家庭用薄葉紙収納容器１）が軽い場合、突出部１４ｂ等を設けたことによって家庭用薄葉紙Ｐを取り出す際に家庭用薄葉紙Ｐに付与される摩擦抵抗が大きくなると、家庭用薄葉紙Ｐと一緒に家庭用薄葉紙収納容器１が持ち上がってしまい、家庭用薄葉紙収納容器１を手で押さえながらでないと、家庭用薄葉紙Ｐが取り出せなくなってしまう。そのため、家庭用薄葉紙収納容器１はある程度重いほうが良い。
具体的には、薄葉紙積層体Ｑが包装体Ｔによって内包されている場合、家庭用薄葉紙収納容器１（収納空間部Ｓ内に何も収納していない状態の家庭用薄葉紙収納容器１）は、包装体Ｔよりも重いことが好ましく、家庭用薄葉紙収納容器１（収納空間部Ｓ内に何も収納していない状態の家庭用薄葉紙収納容器１）の重量は、包装体Ｔの重量の１．５倍以上であることがより好ましい。
家庭用薄葉紙収納容器１が包装体Ｔよりも軽い場合、包装体Ｔに包まれた薄葉紙積層体Ｑの使い始めの段階では、収納空間部Ｓ内に十分な重量があるため、家庭用薄葉紙収納容器１が持ち上がることは少ないが、包装体Ｔの中身が少なくなると、収納空間部Ｓ内が軽くなり、家庭用薄葉紙収納容器１が持ち上がりやすくなる。一方、家庭用薄葉紙収納容器１を包装体Ｔよりも重くすることで、包装体Ｔの中身が最後の１枚になっても、家庭用薄葉紙収納容器１自体に十分な重量があるため、家庭用薄葉紙収納容器１の持ち上がりを防止することが可能となる。
【００３４】
シャーシ３０は、容器本体１０の凹部１３内に収容された状態で容器本体１０の上面部１０ａに固定されており、上蓋２０は、シャーシ３０を介して容器本体１０に取り付けられている。
シャーシ３０は、例えば、図７に示すように、凹部１３の底面部１３ａ上に載置され、取出口１１を取り囲む枠部３１と、閉塞状態の上蓋２０と略面一となるよう枠部３１に支持される上壁部３２と、を備えて構成される。
ここで、本実施形態では、上蓋２０と上壁部３２とを合わせると、平面視にて略楕円形状の板状部材を構成するようになっている。また、上蓋２０及び上壁部３２は、前後方向（短径方向）に下方へ凸となるよう湾曲した形状をなしている。
【００３５】
シャーシ３０の枠部３１（具体的には、枠部３１の連結部３１ｃ（後述））の上面には、例えば、図２、図３、図７に示すように、付勢部材５０の一端と係合する固定側係合部３３が設けられている。
また、上蓋２０の下面のうち前後方向略中央の位置には、例えば、図２、図３、図８に示すように、付勢部材５０の他端と係合する可動側係合部２２が設けられている。
ここで、例えば、図７に示すように、本実施形態において、家庭用薄葉紙収納容器１は、付勢部材５０である引張コイルばねを２本備えている。また、シャーシ３０の枠部３１は、固定側係合部３３を２つ備えている。この２つの固定側係合部３３は、上蓋２０とシャーシ３０とが組み合わされた状態で所定の直線（具体的には、左右方向（長径方向）に平行で可動側係合部２２を通る直線）に対して互いに線対称となる位置に配置され、かつ、上蓋２０の閉塞状態における可動側係合部２２との間隔が、上蓋２０の開放状態における可動側係合部２２との間隔よりも長くなるように、枠部３１に設けられている。そして、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０の双方の他端が、上蓋２０に設けられた可動側係合部２２に掛止されている。
【００３６】
上蓋２０が右側（すなわち、上壁部３２側）へとスライド移動して開放状態から閉塞状態に移行すると、付勢部材５０の一端に係合する固定側係合部３３と、付勢部材５０の他端に係合する可動側係合部２２と、の間隔が長くなるので、付勢部材５０は左側（すなわち、上壁部３２とは反対側）に付勢された状態になる。すなわち、付勢部材５０は、上蓋２０の閉塞状態において、当該上蓋２０を開放状態となる方向に付勢している。そして、付勢部材５０の付勢力に抗する力が解除されると、付勢部材５０の付勢力によって上蓋２０が左側（すなわち、上壁部３２とは反対側）に引っ張られて、取出口１１が開放される。
【００３７】
また、例えば、図４、図５に示すように、本実施形態において、可動側係合部２２は、固定側係合部３３よりも上側に配置されている。そのため、付勢部材５０は、ケース体（容器本体１０やシャーシ３０）の高さ方向に対して斜めに設置、具体的には、可動側係合部２２と係合する他端が、固定側係合部３３と係合する一端よりも上側に配置された状態で設置されている。したがって、付勢部材５０は、上蓋２０の閉塞状態において、当該上蓋２０を開放状態となる方向に付勢するだけでなく、当該上蓋２０を下方向（すなわち、当該上蓋２０をケース体（本実施形態の場合、容器本体１０）に押し付ける方向）にも付勢するので、気密手段（本実施形態の場合、ケース側パッキン１４及び蓋側パッキン２１）によって取出口１１の周縁と上蓋２０との隙間がしっかりと封止されることとなって、収納空間部Ｓの気密性が向上する。
従来、家庭用薄葉紙を収納するためのケース体の上面に、その開放端を上下方向に回動させることで開閉を行う蓋体を設けた家庭用薄葉紙収納容器として、蓋体の開放動作を行いやすくするために、蓋体を開く方向に付勢する付勢部材（エラストマー等により形成されたヒンジ、ねじりコイルバネなど）を備えたものが知られている。このような家庭用薄葉紙収納容器において、付勢部材は、蓋体を開放状態となる方向に付勢、すなわち、蓋体を閉塞状態とは反対方向に付勢しているので、気密性を持たせることが困難であった。これに対し、本実施形態では、左右方向にスライド移動することで開閉を行う蓋体（上蓋２０）を設け、可動側係合部２２を固定側係合部３３よりも上側に配置して付勢部材５０をケース体の高さ方向に対して斜めに設置することで、蓋体（上蓋２０）を開放状態となる方向だけでなく、ケース体に押し付ける方向にも付勢するように構成したので、収納空間部Ｓの気密性が向上する。これにより、家庭用薄葉紙収納容器１に収納する家庭用薄葉紙Ｐが、本実施形態のようにウェットタイプの家庭用薄葉紙Ｐである場合には、家庭用薄葉紙Ｐに含浸した薬液の蒸発を確実に防止できるようになっている。
【００３８】
ここで、付勢部材５０は、伸縮部材により構成され、シャーシ３０の固定側係合部３３が、ケース体（本実施形態の場合、シャーシ３０）に設けられ付勢部材５０の一端と係合する固定点として機能し、上蓋２０の可動側係合部２２が、上蓋２０に設けられ付勢部材５０の他端と係合する可動点として機能する。
そして、付勢部材５０、シャーシ３０の固定側係合部３３及び上蓋２０の可動側係合部２２が、上蓋２０を開放状態となる方向にスライド移動させる可動機構として機能する。
なお、本実施形態では、固定側係合部３３（固定点）をシャーシ３０に設けたが、これに限ることはなく、固定側係合部３３（固定点）は、容器本体１０に設けても良い。
【００３９】
また、本実施形態では、付勢部材５０、シャーシ３０の固定側係合部３３及び上蓋２０の可動側係合部２２は、上蓋２０が、開放状態である場合も、閉塞状態である場合も、開放状態から閉塞状態に移行する途中の状態である場合も、閉塞状態から開放状態に移行する途中の状態である場合も、凹部１３内に配置された状態で上蓋２０に上方から覆われているので、家庭用薄葉紙収納容器１の外部から視認することができない。
すなわち、上蓋２０は、当該上蓋２０の状態にかかわらず、外部から視認不能に付勢部材５０、シャーシ３０の固定側係合部３３及び上蓋２０の可動側係合部２２を遮蔽している。これにより、家庭用薄葉紙収納容器１の美観が向上するとともに、付勢部材５０、シャーシ３０の固定側係合部３３及び上蓋２０の可動側係合部２２が触られることを防止できるようになっている。
【００４０】
さらに、本実施形態では、凹部１３の底面部１３ａが、容器本体１０の内側（収納空間部Ｓ側）から視認不能に付勢部材５０、シャーシ３０の固定側係合部３３及び上蓋２０の可動側係合部２２を遮蔽しているので、付勢部材５０、シャーシ３０の固定側係合部３３及び上蓋２０の可動側係合部２２が、容器本体１０の内側から触られることも防止できるようになっている。
【００４１】
例えば、図４、図５に示すように、上蓋２０の右端部（すなわち、上壁部３２側の端部）には、下側に向けて突出する爪部２３が設けられている。
また、シャーシ３０には、上壁部３２の一部を操作面３４ａとしたスイッチ部３４が設けられている。スイッチ部３４は、前後方向に沿って延設された軸部３４ｂを回動軸として回動可能に構成されており、左端側（すなわち、上蓋２０側）に爪部２３が上方から進入して係合する爪受部３４ｃを有している。また、スイッチ部３４は、図示しない付勢手段によって、押圧されて回動する方向とは逆方向に付勢されている。
【００４２】
上蓋２０が開放状態である際に、付勢部材５０の付勢力に抗する力を作用させて上蓋２０を右側（すなわち、上壁部３２側）へとスライド移動させると、まず、上蓋２０の爪部２３がスイッチ部３４の爪受部３４ｃに当接する。さらに上蓋２０を右側へとスライド移動させると、爪受部３４ｃが爪部２３に押されてスイッチ部３４の付勢手段の付勢力に抗する力が作用し、爪受部３４ｃが下側へと移動するようにスイッチ部３４が回動する。そして、上蓋２０が閉塞状態になってスイッチ部３４の付勢手段の付勢力に抗する力が解除されると、スイッチ部３４の付勢手段の付勢力によって爪受部３４ｃがもとの位置に戻るよう（すなわち、操作面３４ａが上壁部３２の表面と略面一の状態となるよう）にスイッチ部３４が回動して、爪部２３と爪受部３４ｃとが係合する。これにより、上蓋２０の閉塞状態を維持できるようになっている。
【００４３】
また、爪部２３と爪受部３４ｃとが係合している際に、スイッチ部３４の操作面３４ａが押圧されてスイッチ部３４の付勢手段の付勢力に抗する力が作用すると、爪受部３４ｃが下側へと移動するようにスイッチ部３４が回動する。そして、スイッチ部３４の回動に伴い爪部２３と爪受部３４ｃとの係合が解除されると、付勢部材５０の付勢力によって上蓋２０が左側（すなわち、上壁部３２とは反対側）へとスライド移動して開放状態になる。
すなわち、爪部２３及び爪受部３４ｃが、付勢部材５０の付勢力に抗して上蓋２０が閉塞状態となるように係止するとともに、当該係止を解除可能な係止手段として機能する。
なお、本実施形態では、係止手段による係止を解除する際に押圧されるスイッチ部３４をシャーシ３０に設けたが、これに限ることはなく、スイッチ部３４は、容器本体１０に設けても良い。
【００４４】
本実施形態においては、シャーシ３０の枠部３１の一部が、上蓋２０を直線的にスライド移動するようガイドするレール部３１ａになっている。具体的には、例えば、図７に示すように、シャーシ３０の枠部３１は、左右方向に沿って延設され、前後方向に並ぶレール部３１ａ，３１ａと、レール部３１ａ，３１ａの右端部（すなわち、上蓋２０の閉塞状態となる方向側の端部）同士を連結するとともに上壁部３２を支持する支持部３１ｂと、レール部３１ａ，３１ａの左端部（すなわち、上蓋２０の開放状態となる方向側の端部）同士を連結する連結部３１ｃと、からなる。
また、例えば、図８に示すように、上蓋２０には、レール部３１ａに対してスライド移動可能に係合するスライド部２４が設けられている。スライド部２４は、例えば、上蓋２０とシャーシ３０とが組み合わされた状態で、当該スライド部２４の下面が、対応するレール部３１ａの上面に当接するように、上蓋２０の下面から垂下する垂壁部（図示省略）の下端に接続されている。
これにより、上蓋２０をスムーズかつ確実に開閉できるようになっている。
なお、本実施形態では、上蓋２０のスライド移動をガイドするためのレール部３１ａをシャーシ３０に設けたが、これに限ることはなく、レール部３１ａは、容器本体１０に設けても良い。
【００４５】
ここで、例えば、図８に示すように、スライド部２４の左端部（すなわち、上蓋２０の開放状態となる方向側の端部）には、上蓋２０が開放状態となる際の衝撃を吸収するダンパー２４ａが設けられている。
また、例えば、図６に示すように、容器本体１０の凹部１３の周縁のうち、上蓋２０の閉塞状態においてスライド部２４の左端側（ダンパー２４ａを含む）に対応する位置には、上蓋２０が閉塞状態から開放状態へと移行する際にスライド部２４が入り込む横穴部１５が形成されており、上蓋２０の開放状態において、横穴部１５内でスライド部２４のダンパー２４ａが容器本体１０に当接するように構成されている。すなわち、スライド部２４が容器本体１０に衝突することによって、付勢部材５０の付勢力による上蓋２０のスライド移動が停止するように構成されており、当該衝突の際の衝撃を、ダンパー２４ａによって吸収できるようになっている。
なお、本実施形態では、撓むことで衝撃を吸収できるようにダンパー２４ａを左方へ凸となるよう内側から外側に向けて湾曲した弓状に形成したが、これに限ることはなく、ダンパー２４ａの形状は、上蓋２０が開放状態となる際の衝撃を吸収できるのであれば、適宜任意に変更可能である。
【００４６】
例えば、図４、図５に示すように、上蓋２０には、上蓋２０を閉める際等に指を掛けるための可動側指掛部２５が設けられている。具体的には、上蓋２０には、可動側指掛部２５として、当該上蓋２０の右端部（すなわち、上蓋２０の閉塞状態となる方向側の端部）を上側に向けて起立させることによって形成された突起部が設けられている。また、上蓋２０には、可動側指掛部２５に掛けた指を載置するための指載置部２６として、当該上蓋２０の上面を下側に向けて窪ませることによって形成された凹部が設けられている。
また、ケース体（本実施形態の場合、シャーシ３０）のうち係止手段（本実施形態の場合、爪受部３４ｃ）よりも右側（すなわち、上蓋２０の閉塞状態となる方向側）には、上蓋２０を閉める際等に指を掛けるための不動側指掛部３５が設けられている。具体的には、シャーシ３０には、不動側指掛部３５として、シャーシ３０の端部（本実施形態の場合、上壁部３２の右端部）を上側に向けて起立させることにより形成された突起部が設けられている。
【００４７】
すなわち、可動側指掛部２５の左側（すなわち、不動側指掛部３５とは反対側）に指を掛けて上蓋２０を閉める際に、不動側指掛部３５の右側（すなわち、可動側指掛部２５とは反対側）に指を掛けて容器本体１０に左方向の力（上蓋２０に作用させる力とは逆方向の力）を作用させて容器本体１０が滑らないように容器本体１０を固定しておくことができるように構成されている。これにより、片手で上蓋２０を閉めることができるようになっている。
また、本実施形態の場合、不動側指掛部３５は、スイッチ部３４に離間してケース体（本実施形態の場合、シャーシ３０）に設けられている。これにより、不動側指掛部３５に掛けた指でスイッチ部３４を誤操作してしまうことを防止できるようになっている。
なお、本実施形態では、不動側指掛部３５をシャーシ３０に設けたが、これに限ることはなく、不動側指掛部３５は、容器本体１０に設けても良い。
【００４８】
例えば、図４、図５に示すように、上蓋２０の下面には、先端が左側（すなわち、上蓋２０の開放状態となる方向側）を向くよう前後方向の側面視略逆Ｌ字状に突出する突片部２７が設けられている。
また、例えば、図６に示すように、容器本体１０の凹部１３の周縁のうち、上蓋２０の閉塞状態において突片部２７の先端側（ダンパー２７ａ（後述）を含む）に対応する位置には、上蓋２０が閉塞状態から開放状態へと移行する際に突片部２７が入り込む横穴部１６が形成されており、上蓋２０が開放状態になると、上蓋２０の突片部２７の先端側が容器本体１０の横穴部１６に入り込んで、突片部２７の上下方向の移動が規制されるように構成されている。これにより、上蓋２０の開放状態において、上蓋２０の左端側が上方向へと移動して上蓋２０が起き上がってしまうことを防止できるようになっている。
【００４９】
ここで、例えば、図４、図５に示すように、突片部２７の先端部には、上蓋２０が開放状態となる際の衝撃を吸収するダンパー２７ａが設けられており、上蓋２０の開放状態において、横穴部１６内で突片部２７のダンパー２７ａが容器本体１０に当接するように構成されている。すなわち、突片部２７が容器本体１０に衝突することによっても、付勢部材５０の付勢力による上蓋２０のスライド移動が停止するように構成されており、当該衝突の際の衝撃を、ダンパー２７ａによって吸収できるようになっている。
【００５０】
なお、本実施形態では、撓むことで衝撃を吸収できるようにダンパー２７ａを左方へ凸となるよう上側から下側に向けて湾曲した弓状に形成したが、これに限ることはなく、ダンパー２７ａの形状は、上蓋２０が開放状態となる際の衝撃を吸収できるのであれば、適宜任意に変更可能である。
また、本実施形態では、突片部２７にダンパー２７ａを設けてスライド部２４にダンパー２４ａを設けた、すなわち、突片部２７とスライド部２４との双方にダンパーを設けたが、これに限ることはなく、ダンパーによって上蓋２０が開放状態となる際の衝撃を吸収すること（衝撃を緩めること）ができるのであれば、例えば、突片部２７だけにダンパーを設けても良いし、スライド部２４だけにダンパーを設けても良いし、突片部２７及びスライド部２４以外の部分にダンパーを設けても良い。また、ダンパーは、上蓋２０側ではなく、ケース体（容器本体１０やシャーシ３０）側に設けても良いし、上蓋２０側とケース体側との双方に設けても良い。突片部２７にダンパーを設けない場合は、上蓋２０の開放状態において、突片部２７が横穴部１６内で容器本体１０に当接しないように構成することが好ましい。また、スライド部２４にダンパーを設けない場合は、上蓋２０の開放状態において、スライド部２４が横穴部１５内で容器本体１０に当接しないように構成することが好ましい。
【００５１】
なお、本実施形態では、スライド部２４の左端側が入り込む横穴部１５の上方が上面部１０ａによって塞がれるように構成したが、これに限ることはなく、横穴部１５は上方に開口していてもよい。
また、突片部２７は、上蓋２０が起き上がってしまうことを防止するために設けられているが、本実施形態のように、スライド部２４の左端側が入り込む横穴部１５の上方が上面部１０ａによって塞がれている場合には、スライド部２４によって、上蓋２０が起き上がってしまうことを防止することができる。具体的には、この場合には、上蓋２０が開放状態になると、上蓋２０のスライド部２４の左端側が容器本体１０の横穴部１５に入り込んで、スライド部２４の上下方向の移動が規制され、上蓋２０が起き上がってしまうことを防止することができるので、突片部２７を設けなくてもよい。
【００５２】
＜家庭用薄葉紙収納容器の製造方法＞
次に、本実施形態の家庭用薄葉紙収納容器の製造方法の一例について、図９を参照して説明する。
まず、ブロー成型、またはインジェクション、ブローインジェクション等の製法によって、各パーツを作製する。
次いで、シャーシ３０に、付勢部材５０と上蓋２０とを組み付けてアセンブリ体Ａを形成する。
次いで、アセンブリ体Ａを容器本体１０に取り付ける。具体的には、シャーシ３０の下面に設けられた複数（本実施形態の場合、５個）の嵌合凸部３６と、容器本体１０の凹部１３の底面部１３ａに嵌合凸部３６に対応させて設けられた嵌合孔部１７と、が嵌合するよう、アセンブリ体Ａを、容器本体１０の凹部１３内に当該凹部１３の上方から嵌め込むことによって、容器本体１０に取り付ける。すなわち、付勢部材５０と上蓋２０とは、シャーシ３０に組み付けられて一体に構成されたアセンブリ体Ａの状態で、容器本体１０に取り付けられている。これにより、上蓋２０と付勢部材５０とシャーシ３０とを別々に容器本体１０に取り付ける手間を省くことができるようになっている。
なお、本実施形態では、シャーシ３０に設けられた嵌合凸部３６と、容器本体１０に設けられた嵌合孔部１７と、を嵌合させることによって、アセンブリ体Ａを容器本体１０に固定するよう構成したが、これに限ることはなく、例えば、ねじ等によってアセンブリ体Ａを容器本体１０に固定しても良い。
【００５３】
＜実施例＞
以下、具体的な実施例によって本発明を説明するが、発明はこれらに限定されるものではない。
【００５４】
まず、包装体Ｔで包まれた薄葉紙積層体Ｑを準備した。
ここで、家庭用薄葉紙Ｐは、スパンレース不織布で、家庭用薄葉紙Ｐの組成を、レーヨン５０％、ＰＥＴ繊維３０％、バインダー繊維２０％とし、家庭用薄葉紙Ｐの寸法を、ＭＤ方向１４０ｍｍ、ＣＤ方向１８０ｍｍとした。また、家庭用薄葉紙Ｐに、ノンアルコール処方の薬液、具体的には、保湿剤、乳化剤としてプロピレングリコール、１，３−ブチレングリコールを配合し、その他パラベン等の防腐剤を少量と、クエン酸ナトリウム等のｐＨ調整剤をごく少量と、を含む薬液を含浸（含浸率２８０％）させた。また、家庭用薄葉紙Ｐの積層方式を、ポップアップ方式とした。
【００５５】
次に、包装体Ｔで包まれた薄葉紙積層体Ｑを、容器本体１０の内部の収納空間部Ｓに収納した。
ここで、取出口１１の大きさを、４０ｍｍ×２０ｍｍとし、取出口１１の形状を、角丸四角形（平面視にて角のとれた略長方形状）とした。また、取出口１１の周縁部に、材質がスチレン系熱可塑性エラストマー（ＴＰＳ）で、形状が角丸四角形で、突出部１４ｂの長さ（上下方向の長さ）が５ｍｍであるケース側パッキン１４を装着した。
【００５６】
そして、家庭用薄葉紙Ｐを取出口１１から真上に１枚ずつ取り出す動作を４５回行って、家庭用薄葉紙収納容器１のポップアップ性の評価を行った。
具体的には、実施例１として、延出部１４ａは有さないが突出部１４ｂを有するケース側パッキン１４を取出口１１に装着した家庭用薄葉紙収納容器１と、実施例２として、延出部１４ａ（図１０に示す形状の延出部１４ａ）及び突出部１４ｂを有するケース側パッキン１４を取出口１１に装着した家庭用薄葉紙収納容器１と、実施例３として、延出部１４ａ（図１０に示す形状の延出部１４ａ）及び突出部１４ｂを有するとともに、突出部１４ｂの下端部に複数の角部１４ｃ（図１１（ａ）に示す形状の角部１４ｃ）が形成されたケース側パッキン１４を取出口１１に装着した家庭用薄葉紙収納容器１と、のそれぞれにおいて、ポップアップ性の評価を行った。
また、比較例１として、ケース側パッキンを取出口１１に装着していない家庭用薄葉紙収納容器と、比較例２として、延出部１４ａ及び突出部１４ｂを有さないケース側パッキンを取出口１１に装着した家庭用薄葉紙収納容器と、のそれぞれにおいても、ポップアップ性の評価を行った。
その結果を、図１７に示す。
【００５７】
図１７に示すように、比較例１の場合、すなわち取出口１１にケース側パッキンを装着しない場合には、４５回の取り出し動作のうち２６回の取り出し動作で次層の家庭用薄葉紙Ｐが連なって出てきた。
また、比較例１の場合、頭出し長さ（次層の家庭用薄葉紙Ｐの飛び出し長さ）は９９ｍｍであった。
【００５８】
比較例２の場合、すなわち延出部１４ａ及び突出部１４ｂを有さないケース側パッキンを取出口１１に装着した場合には、４５回の取り出し動作のうち８回の取り出し動作で次層の家庭用薄葉紙Ｐが連なって出てきた。
また、比較例２の場合、頭出し長さは９５ｍｍであった。
これにより、取出口１１に延出部１４ａ及び突出部１４ｂを有さないケース側パッキンを装着することで、連なり回数は改善できるが、頭出し長さは改善できないことが分かった。
【００５９】
実施例１の場合、すなわち延出部１４ａは有さないが突出部１４ｂを有するケース側パッキン１４を取出口１１に装着した場合には、４５回の取り出し動作のうち５回の取り出し動作で次層の家庭用薄葉紙Ｐが連なって出てきた。
また、実施例１の場合、頭出し長さは７６ｍｍであった。
これにより、取出口１１に装着するケース側パッキンに突出部１４ｂを設けることで、連なり回数も頭出し長さも改善できることが分かった。
薬液がノンアルコール処方である場合、ノンアルコール処方でない場合と比較して、薬液の表面張力が増すので、家庭用薄葉紙Ｐ同士がより強く貼り付く。また、薬液に保湿剤を多く加えた場合、薬液の粘度が上昇するので、家庭用薄葉紙Ｐ同士の貼り付きが強くなる。また、家庭用薄葉紙Ｐに含浸させる薬液量が多い場合も、家庭用薄葉紙Ｐ同士の貼り付きが多くなる。このような場合でも、取出口１１に突出部１４ｂを有するケース側パッキン１４を装着することで、家庭用薄葉紙Ｐの不要な飛び出しが抑制されることが分かった。
【００６０】
実施例２の場合、すなわち延出部１４ａ及び突出部１４ｂを有するケース側パッキン１４を取出口１１に装着した場合には、４５回の取り出し動作のうち１回の取り出し動作で次層の家庭用薄葉紙Ｐが連なって出てきた。
また、実施例２の場合、頭出し長さは５８ｍｍであった。
これにより、取出口１１に装着するケース側パッキンに突出部１４ｂだけでなく延出部１４ａを設けることで、連なり回数も頭出し長さもさらに改善できることが分かった。
【００６１】
実施例３の場合、すなわち延出部１４ａ及び突出部１４ｂを有するとともに突出部１４ｂの下端部に複数の角部１４ｃが設けられたケース側パッキン１４を取出口１１に装着した場合には、４５回の取り出し動作のうち１回の取り出し動作で次層の家庭用薄葉紙Ｐが連なって出てきた。
また、実施例３の場合、頭出し長さは４４ｍｍであった。
これにより、取出口１１に装着するケース側パッキンに突出部１４ｂ及び延出部１４ａを設けるだけでなく、突出部１４ｂの下端部に複数の角部１４ｃを設けることで、連なり回数については実施例２と同様に良好なまま、頭出し長さをさらに一層改善できることが分かった。
【００６２】
以上説明した本実施形態の家庭用薄葉紙収納容器１によれば、上面に取出口１１を有し、内側の収納空間部Ｓに家庭用薄葉紙Ｐが積層された薄葉紙積層体Ｑを収納するケース体（容器本体１０及びシャーシ３０）と、取出口１１の周縁部に装着されたケース側パッキン１４（枠部材）と、を備え、ケース側パッキン１４は、軟質材料から形成されており、取出口１１よりも下側（収納空間部Ｓに収納されている薄葉紙積層体Ｑ側）に向けて突出する突出部１４ｂを有している。
したがって、最上層の家庭用薄葉紙Ｐを取り出す際に、ケース側パッキン１４が有する突出部１４ｂが最上層の家庭用薄葉紙Ｐや次層の家庭用薄葉紙Ｐと接触して、突出部１４ｂと家庭用薄葉紙Ｐとの間に摩擦力が発生するので、次層の家庭用薄葉紙Ｐの飛び出し長さ（取出口１１から突出した部分の長さ）が必要以上に長くなったり、複数枚の家庭用薄葉紙Ｐが連なって引き出されたりすることを抑制することができる。
さらに、ケース側パッキン１４は、軟質材料から形成されていて柔らかいので、ケース側パッキン１４が有する突出部１４ｂによって家庭用薄葉紙Ｐを傷つけることなく確実に押さえることができる。
すなわち、家庭用薄葉紙Ｐの不要な飛び出しを抑制しつつ、家庭用薄葉紙Ｐを傷つけずに取り出すことが可能となる。
【００６３】
ここで、次層の家庭用薄葉紙の飛び出し長さが必要以上に長くなったり、複数枚の家庭用薄葉紙が連なって引き出されたりするという問題は、家庭用薄葉紙に含浸させる薬液の粘度や薬液の含浸量が関係してくる。例えば、薬液の粘度や含浸量が高い場合には、家庭用薄葉紙同士が貼り付いてしまうので、このような問題が多発する傾向にある。そのため、従来は、薬液に保湿剤等の薬液粘度を高める成分を配合したり、薬液の含浸量を高く設定したりすることが困難であったが、本実施形態の家庭用薄葉紙収納容器１によれば、突出部１４ｂを有するケース側パッキン１４を備えており、家庭用薄葉紙Ｐの不要な飛び出しを抑制しつつ、家庭用薄葉紙Ｐを傷つけずに取り出すことが可能なので、薬液の粘度や含浸量に関する制限がなくなり、自由度が増す。
【００６４】
また、以上説明した本実施形態の家庭用薄葉紙収納容器１によれば、ケース側パッキン１４（枠部材）は、取出口１１を塞ぐ方向側に向けて延出する延出部１４ａを有していても良い。
この場合、最上層の家庭用薄葉紙Ｐを取り出す際に、最上層の家庭用薄葉紙Ｐや次層の家庭用薄葉紙Ｐが延出部１４ａと接触したり延出部１４ａ同士に挟み込まれたりするので、家庭用薄葉紙Ｐの不要な飛び出しをさらに抑制することが可能となる。
【００６５】
また、以上説明した本実施形態の家庭用薄葉紙収納容器１によれば、突出部１４ｂの下端部には、複数の角部１４ｃが所定間隔を有して設けられていても良い。
この場合、最上層の家庭用薄葉紙Ｐを取り出す際、突出部１４ｂに設けられた角部１４ｃに家庭用薄葉紙Ｐが引っ掛かるので、家庭用薄葉紙Ｐの不要な飛び出しをさらに抑制することが可能となる。
【００６６】
また、以上説明した本実施形態の家庭用薄葉紙収納容器１によれば、突出部１４ｂの下端部には、複数のスリット１４ｄが所定間隔を有して設けられていても良い。
この場合、最上層の家庭用薄葉紙Ｐを取り出す際、突出部１４ｂに設けられたスリット１４ｄに家庭用薄葉紙Ｐが入り込むので、家庭用薄葉紙Ｐの不要な飛び出しをさらに抑制することが可能となる。
【００６７】
また、以上説明した本実施形態の家庭用薄葉紙収納容器１によれば、薄葉紙積層体Ｑが、家庭用薄葉紙Ｐを取り出すための開口Ｔ１が設けられた包装体Ｔによって内包されている場合、取出口１１の面積は、開口Ｔ１の面積よりも小さいことが好ましい。
このように構成すると、家庭用薄葉紙Ｐが突出部１４ｂにより接触しやすくなるので、家庭用薄葉紙Ｐの不要な飛び出しをさらに抑制することが可能となる。
【００６８】
また、以上説明した本実施形態の家庭用薄葉紙収納容器１によれば、薄葉紙積層体Ｑが、家庭用薄葉紙Ｐを取り出すための開口Ｔ１が設けられた包装体Ｔによって内包されている場合、取出口１１の長軸は、開口Ｔ１の長軸に直交しており、取出口１１の短軸の長さは、開口Ｔ１の長軸の長さよりも短いことが好ましい。
このように構成すると、家庭用薄葉紙Ｐが突出部１４ｂにより接触しやすくなるので、家庭用薄葉紙Ｐの不要な飛び出しをさらに抑制することが可能となる。
なお、本実施形態では、取出口１１及び開口Ｔ１の形状を、略長方形状（本実施形態の場合、平面視にて角のとれた略長方形状）としたが、これに限ることはなく、取出口１１及び開口Ｔ１の形状は、略楕円形状であっても良い。ここで、本発明でいう略長方形状又は略楕円形状には、略長丸形状等も含まれる。
【００６９】
ところで、ケース側パッキン１４のうち収納空間部Ｓに収納されている家庭用薄葉紙Ｐの折り畳み線に直交する方向に延在する部分（本実施形態の場合、ケース側パッキン１４のうち前後方向に延在する部分）が直線状になっていると、家庭用薄葉紙Ｐを引き抜く際に、当該部分の突出部１４ｂが、取出口１１を塞ぐ方向側に向かう斜め上方向の力を受けるため、ケース側パッキン１４にひずみが生じてしまい、取出口１１に装着されたケース側パッキン１４が外れてしまうことがある。その場合には、取出口１１を略楕円形状に形成し、それに伴いケース側パッキン１４の形状を略楕円形状にして、ケース側パッキン１４のうち収納空間部Ｓに収納されている家庭用薄葉紙Ｐの折り畳み線に直交する方向に延在する部分に丸みを持たせることで、家庭用薄葉紙Ｐを引き抜く際に、突出部１４ｂに力が加わっても、ケース側パッキン１４にひずみが生じないようにすることが好ましい。
【００７０】
また、以上説明した本実施形態の家庭用薄葉紙収納容器１によれば、薄葉紙積層体Ｑが、家庭用薄葉紙Ｐを取り出すための開口Ｔ１が設けられた包装体Ｔによって内包されている場合、当該家庭用薄葉紙収納容器１は、包装体Ｔよりも重いことが好ましい。
この場合、突出部１４ｂ等を設けたことによって家庭用薄葉紙Ｐを取り出す際に家庭用薄葉紙Ｐに付与される摩擦抵抗が大きくなっても、家庭用薄葉紙Ｐと一緒に家庭用薄葉紙収納容器１が持ち上がってしまうことを抑制できるので、家庭用薄葉紙収納容器１を手で押さえながらでなくても家庭用薄葉紙Ｐを取り出すことが可能となる。
【００７１】
また、以上説明した本実施形態の家庭用薄葉紙収納容器１によれば、取出口１１を開閉させる上蓋２０（蓋体）を備え、ケース側パッキン１４（枠部材）は、取出口１１の周縁と上蓋２０との隙間を封止して収納空間部Ｓを気密状態とするための部材である。
すなわち、収納空間部Ｓを気密状態とするためのケース側パッキン１４が、家庭用薄葉紙Ｐの不要な飛び出しを抑制しつつ家庭用薄葉紙Ｐを傷つけずに取り出すための機能も有しているので、部品点数を増やすことなく、機能を追加することができる。
【００７２】
また、以上説明した本実施形態の家庭用薄葉紙収納容器１によれば、上面に取出口１１を有し、内側に家庭用薄葉紙Ｐを収納するケース体（容器本体１０及びシャーシ３０）と、ケース体に対してスライド移動することで取出口１１を開閉させる蓋体としての上蓋２０と、上蓋２０を開放状態となる方向に付勢する付勢部材５０を有し、当該上蓋２０を開放状態となる方向にスライド移動させる可動機構（付勢部材５０、固定側係合部３３及び可動側係合部２２）と、付勢部材５０の付勢力に抗して上蓋２０が閉塞状態となるように係止するとともに、当該係止を解除可能な係止手段（爪部２３及び爪受部３４ｃ）と、を備えている。
すなわち、係止手段（爪部２３及び爪受部３４ｃ）による係止を解除すると、付勢部材５０の付勢力によって、取出口１１を閉塞していた上蓋２０がスライド移動して開放状態となり、取出口１１が開放されることとなる。
したがって、係止手段（爪部２３及び爪受部３４ｃ）による係止を解除するだけで付勢部材５０の付勢力によって自動的に上蓋２０が開くので、上蓋２０の開放動作が行いやすく、利便性が高い。
【００７３】
具体的には、本実施形態において、付勢部材５０は、伸縮部材により構成され、可動機構は、ケース体（本実施形態の場合、シャーシ３０）に設けられ付勢部材５０の一端と係合する固定点としての固定側係合部３３と、上蓋２０に設けられ付勢部材５０の他端と係合する可動点としての可動側係合部２２と、を備えている。
なお、家庭用薄葉紙収納容器１に備える付勢部材５０の個数（本数）は、２つ（２本）に限ることはなく、適宜任意に変更可能であり、１つ（１本）であっても良いし、３つ（３本）以上あってもよい。また、固定側係合部３３や可動側係合部２２の個数は、付勢部材５０の個数に応じて、適宜任意に変更可能である。
また、本実施形態では、上蓋２０が、ケース体の外側でスライド移動するように構成したが、これに限ることはなく、上蓋２０が、ケース体の内側でスライド移動して、上蓋２０の開放状態において上蓋２０の大部分（例えば、可動側指掛部２５を除く部分）がケース体内に収まるように構成することも可能である。
【００７４】
また、以上説明した本実施形態の家庭用薄葉紙収納容器１によれば、可動側係合部２２は、固定側係合部３３よりも上側に配置されている。
すなわち、付勢部材５０は、ケース体（容器本体１０やシャーシ３０）の高さ方向に対して斜めに設置されているので、上蓋２０を開放状態となる方向だけでなく、上蓋２０をケース体に押し付ける方向にも付勢することができる。したがって、家庭用薄葉紙収納容器１の気密性が向上するので、家庭用薄葉紙収納容器１に収納する家庭用薄葉紙Ｐが、ウェットタイプの家庭用薄葉紙Ｐである場合には、家庭用薄葉紙Ｐに含浸した薬液の蒸発を防止できる。
【００７５】
また、以上説明した本実施形態の家庭用薄葉紙収納容器１によれば、上蓋２０は、当該上蓋２０の状態にかかわらず、外部から視認不能に付勢部材５０を遮蔽している。
したがって、家庭用薄葉紙収納容器１の美観が向上する。
また、付勢部材５０が触られることを防止することができるので、付勢部材５０に汚れが付きにくく、付勢部材５０に指等が挟まる心配もなく、衛生的に安全に使用することができるとともに、付勢部材５０が、取り外されてしまったり、取り外されて誤飲されてしまったりすることを防止することができる。
【００７６】
また、以上説明した本実施形態の家庭用薄葉紙収納容器１によれば、上蓋２０が開放状態となる際の衝撃を吸収するダンパー２４ａ，２７ａを備えている。
すなわち、上蓋２０は付勢部材５０の付勢力によって自動的に開くが、その際の衝撃がダンパー２４ａ，２７ａによって吸収されるので、上蓋２０が開放状態となる際の衝撃に伴う上蓋２０やケース体（本実施形態の場合、主に容器本体１０）の磨耗を抑制したり、上蓋２０が開放状態となる際に生じる衝突音を軽減したりすることができる。
【００７７】
また、以上説明した本実施形態の家庭用薄葉紙収納容器１によれば、ケース体（本実施形態の場合、シャーシ３０）には、上蓋２０のスライド移動をガイドするためのレール部３１ａが設けられ、上蓋２０には、レール部３１ａに対してスライド移動可能に係合するスライド部２４が設けられている。
すなわち、上蓋２０はスライド移動することによって取出口１１を開閉させるが、そのスライド移動がレール部３１ａによってガイドされるので、上蓋２０をスムーズかつ確実に開閉することができる。
【００７８】
また、以上説明した本実施形態の家庭用薄葉紙収納容器１によれば、上面に取出口１１を有し、内側に家庭用薄葉紙Ｐを収納するケース体（容器本体１０及びシャーシ３０）と、ケース体に対してスライド移動することで取出口１１を開閉させる蓋体としての上蓋２０と、上蓋２０が閉塞状態となるように係止するとともに、当該係止を解除可能な係止手段（爪部２３及び爪受部３４ｃ）と、を備え、上蓋２０には、可動側指掛部２５が設けられ、ケース体（本実施形態の場合、シャーシ３０）のうち係止手段（本実施形態の場合、爪受部３４ｃ）よりも上蓋２０の閉塞状態となる方向側には、不動側指掛部３５が設けられている。
すなわち、可動側指掛部２５に指を掛けて上蓋２０に閉塞状態となる方向（本実施形態の場合、右方向）の力を加えることができるだけでなく、上蓋２０を閉める際に、閉塞状態となる方向の力が上蓋２０だけでなくケース体（容器本体１０及びシャーシ３０）に加わってしまっても、不動側指掛部３５に指を掛けてケース体に逆方向の力を作用させてケース体を固定しておくことができるので、ケース体が滑ってしまうことがない。
したがって、片手で上蓋２０を閉めることができ、上蓋２０の閉塞動作が行いやすい。
【００７９】
特に、本実施形態の場合、上蓋２０を開放状態となる方向に付勢する付勢部材５０を備えているので、上蓋２０を閉める際に、上蓋２０の閉塞状態となる方向の力として、付勢部材５０の付勢力に抗する力を上蓋２０に加えることとなる。その際に、付勢部材５０の付勢力によって、付勢部材５０の付勢力に抗する力と同じ方向の力がケース体に加わるので、ケース体は上蓋２０の閉塞状態となる方向側に滑りやすいが、不動側指掛部３５を設けることで、ケース体が滑らないように、不動側指掛部３５に指を掛けてケース体を固定しておくことができる。
なお、本実施形態では、家庭用薄葉紙収納容器１に上蓋２０を開放状態となる方向に付勢する付勢部材５０を設けたが、これに限ることはなく、家庭用薄葉紙収納容器１に付勢部材５０を設けなくてもよい。家庭用薄葉紙収納容器１に付勢部材５０を設けない場合には、可動側指掛部２５と不動側指掛部３５との双方に指を掛けて上蓋２０を開閉することができる。したがって、片手で上蓋２０を開閉することができ、上蓋２０の開閉動作が行いやすい。
【００８０】
また、以上説明した本実施形態の家庭用薄葉紙収納容器１によれば、ケース体（本実施形態の場合、シャーシ３０）は、係止手段（爪部２３及び爪受部３４ｃ）による係止を解除する際に押圧されるスイッチ部３４を備え、不動側指掛部３５は、スイッチ部３４に離間してケース体（本実施形態の場合、シャーシ３０）に設けられた突起部である。
具体的には、本実施形態において、ケース体は、容器本体１０と、当該容器本体１０の上面に固定されるシャーシ３０と、を備え、上蓋２０は、シャーシ３０に取り付けられ、不動側指掛部３５は、シャーシ３０の端部（本実施形態の場合、上壁部３２の右端部）を上側に向けて起立させることにより形成された突起部である。
したがって、不動側指掛部３５がスイッチ部３４に離間して設けられているので、不動側指掛部３５に掛けた指でスイッチ部３４を誤操作してしまうことを防止することができ、上蓋２０を片手で確実に閉めることができる。
なお、本実施形態では、スイッチ部３４を回動可能に構成したが、これに限ることはなく、スイッチ部３４を押圧することで係止手段（爪部２３及び爪受部３４ｃ）による係止を解除できるのであれば、スイッチ部３４の構成は適宜任意に変更可能であり、例えば、スイッチ部３４は上下方向に揺動可能に構成しても良い。
また、スイッチ部３４や不動側指掛部３５を設ける箇所は、スイッチ部３４や不動側指掛部３５が容器本体１０の平面（上面）視外形からはみ出さないのであれば、適宜任意に変更可能である。
【００８１】
また、以上説明した本実施形態の家庭用薄葉紙収納容器１によれば、上面に取出口１１を有し、内側に家庭用薄葉紙Ｐを収納するケース体と、ケース体に対してスライド移動することで取出口１１を開閉させる蓋体としての上蓋２０と、上蓋２０を開放状態となる方向に付勢する付勢部材５０と、を備え、ケース体は、容器本体１０と、当該容器本体１０の上面に固定されるシャーシ３０と、を備え、付勢部材５０と上蓋２０とは、シャーシ３０に組み付けられて一体に構成されたアセンブリ体Ａの状態で、容器本体１０に取り付けられている。
具体的には、本実施形態において、容器本体１０は、上面に凹部１３を有し、取出口１１は当該凹部１３に設けられ、アセンブリ体Ａは、凹部１３内に当該凹部１３の上方から嵌め込まれている。
また、以上説明した本実施形態の家庭用薄葉紙収納容器１の製造方法によれば、シャーシ３０に、付勢部材５０と上蓋２０とを組み付けてアセンブリ体Ａを形成し、次いで、アセンブリ体Ａを容器本体１０に取り付けるようになっている。
したがって、上蓋２０と付勢部材５０とを別々に容器本体１０に取り付ける必要がないので、組み立てやすい。
【００８２】
なお、今回開示された実施の形態はすべての点で例示であって制限的なものではないと考えられるべきである。また、前述の実施形態及び変形例の構成を組み合わせて適用しても良い。本発明の範囲は上記した説明ではなくて特許請求の範囲によって示され、特許請求の範囲と均等の意味および範囲内でのすべての変更が含まれることが意図される。
【符号の説明】
【００８３】
１  家庭用薄葉紙収納容器
１０  容器本体（ケース体）
１１  取出口
１４  ケース側パッキン（枠部材）
１４ａ  延出部
１４ｂ  突出部
１４ｃ  角部
１４ｄ  スリット
２０  上蓋（蓋体）
３０  シャーシ（ケース体）
Ｐ  家庭用薄葉紙
Ｑ  薄葉紙積層体
Ｓ  収納空間部
Ｔ  包装体
Ｔ１  開口
【図１】
0006001918.tif 000002
【図２】
0006001918.tif 000003
【図３】
0006001918.tif 000004
【図４】
0006001918.tif 000005
【図５】
0006001918.tif 000006
【図６】
0006001918.tif 000007
【図７】
0006001918.tif 000008
【図８】
0006001918.tif 000009
【図９】
0006001918.tif 000010
【図１０】
0006001918.tif 000011
【図１１】
0006001918.tif 000012
【図１２】
0006001918.tif 000013
【図１３】
0006001918.tif 000014
【図１４】
0006001918.tif 000015
【図１５】
0006001918.tif 000016
【図１６】
0006001918.tif 000017
【図１７】
0006001918.tif 000018